(57)【特許請求の範囲】
【請求項１】
高吸水性の繊維素材からなる布材が重ね合わされてその間にゴム糸を含む伸縮性の中間材が挟まれてなる積層繊維材が短尺の筒状に丸められてなる軸直角方向に伸縮可能な筒状基部と、高吸水性の繊維素材からなり前記筒状基部の内周面に一端にて取り付けられて内方に延びる該筒状基部内面の半径程度の長さの柱状で柔軟な多数の紐材とからなり、傘本体が挿通可能であることを特徴とする傘用水滴除去具。
【発明の詳細な説明】
【技術分野】
【０００１】
本発明は、傘の本体表面に付着した雨滴等を除去するための持ち運び可能な傘用水滴除去具に関する。
【背景技術】
【０００２】
従来、この種の傘用水滴除去具としては、傘本体を挿入する長尺のビニール袋が知られている。しかし、このビニール袋は、雨滴を吸着するものではなく傘本体の表面を覆うことにより水分が衣服等に付着しないようにして持ち運びの便宜を図るためのものであるため、袋から傘本体を引き抜いたとき、傘本体に水分が残ったままである。また、ビニール袋も内部が水分であふれているため、これを鞄等に入れて持ち運ぶことは困難であるため、通常は使い捨てにされ、そのために袋の回収の手間も煩雑であると共に、袋が無駄でもあった。このビニール袋と同様な構造の傘の保持袋としては、例えば特許文献１等に示されている。
【先行技術文献】
【特許文献】
【０００３】
【特許文献１】特開２００５−６２７号公報
【発明の概要】
【発明が解決しようとする課題】
【０００４】
本発明は、上記問題を解決しようとするもので、傘の本体表面に付着した雨滴等を簡単に吸着除去することができ、また使用後に水漏れを気にすることなく簡単に持ち運び可能な傘用水滴除去具を提供することを目的とする。
【課題を解決するための手段】
【０００５】
上記目的を達成するために、本発明の構成上の特徴は、高吸水性の繊維素材からなる布材が重ね合わされてその間にゴム糸を含む伸縮性の中間材が挟まれてなる積層繊維材が短尺の筒状に丸められてなる軸直角方向に伸縮可能な筒状基部と、高吸水性の繊維素材からなり筒状基部の内周面に一端にて取り付けられて内方に延びる筒状基部内面の半径程度の長さの柱状で柔軟な多数の紐材とからなり、傘本体が挿通可能であることにある。なお、筒状基部と多数の紐材は、８μｍ以下の極細のナイロン、ポリエステル等の繊維であるマイクロファイバー製であることが好ましく、高い吸水性と乾燥性が得られる。
【０００６】
上記のように構成した本発明においては、雨等に濡れた傘をすぼめて、傘本体を水滴除去具の筒状基部に嵌め合わせて挿通させることにより、傘本体は筒状基部と紐材に締め付けられるが、筒状基部と紐材共に伸縮するために、傘本体はスムーズに挿通されて、筒状基部が傘の柄近辺まで差し込まれる。その際、筒状基部と紐材は共に高吸水性の繊維素材で形成されているために、傘本体外面に付着した水滴は特に多数の紐材間において十分に吸着されるため、傘本体の外面の水滴はほぼ完全に除去される。また、水滴除去具は傘本端に付着した程度の水分は十分に保水できるため、筒状基部の外側に水が染み出すこともない。その結果、本発明においては、傘に付着した雨滴等で衣服が濡れなく、また床面を水滴で濡らすこともないので、室内で雨滴等を気にすることなく傘を楽に取り扱うことができる。また、使用後に傘から取り外した水滴除去具についても、軽く絞ることにより吸収された水分を取り出すことができ乾燥が速いので、水漏れを気にすることがなく、またコンパクトな形状なので、水滴除去具を鞄等に入れて簡単に持ち運ぶことができるので便利である。また、本発明によれば、傘用水滴除去具は、小型軽量であると共に、簡易な構造で安価であるため、容易に入手できて手軽に使用することができる。
【発明の効果】
【０００７】
本発明においては、小型軽量で安価な傘用水滴除去具を傘本体に嵌め合わせることにより雨等に濡れた傘の水分を簡単に除去でき、また水滴除去具からの水漏れもないため、傘に付着した雨滴等を気にすることなく室内で楽に取り扱うことができ、また、使用後軽く絞ることにより吸収された水分を取り出すことができ乾燥が速いので、水漏れを気にすることがなく、鞄等に入れて簡単に持ち運ぶことができるので便利である。
【図面の簡単な説明】
【０００８】
【図１】本発明の一実施例である傘用水滴除去具の使用状態を概略的に示す斜視図である。
【図２】同傘用水滴除去具を示す正面図である。
【図３】同傘用水滴除去具を示す縦断面図である。
【図４】同傘用水滴除去具を示す平面図である。
【発明を実施するための形態】
【０００９】
以下、本発明の一実施例について図面を用いて説明する。図１は一実施例である傘用水滴除去具の使用状態を斜視図により示し、図２〜図４は傘用水滴除去具を正面図、縦断面図及び平面図により示したものである。
【００１０】
傘用水滴除去具１０（以下、水滴除去具と記す。）は、筒状基部１１と、その内周面に取り付けられた紐材１５とを有する。筒状基部１１は、８μｍ以下の極細のナイロン、ポリエステル等の繊維であるマイクロファイバーにより織られた高吸水性で速乾性の繊維素材であるからなる布材１２が重ね合わされてその間にゴム糸を含む伸縮性を備えた中間材１３が挟まれてなる積層繊維材を筒状に丸めて端部を縫い合わせた略外径５．５ｃｍφ×内径３．５ｃｍφ×長さ５ｃｍ程度の大きさのものである。布材１２は、表面に多数の小さい凸部が分散して配設された柔軟な伸縮可能な素材である。そのため、筒状基部１１は中間材１３が弾性変形することにより径方向に伸縮可能になっている。なお、中間材１３は布材１２の内面に取り付けられてもよい。
【００１１】
紐材１５は、筒状基部１１と同様にマイクロファイバーにより織られた高吸水性で速乾性の繊維素材を用いた直径５ｍｍφ程度で長さが１５〜２０ｍｍ程度の円柱状の柔らかい紐である。本実施例では、紐材１５は、やはりマイクロファイバーにより織られた高吸水性の繊維素材である幅が約２５ｍｍの薄肉の布部１６にランダムに一端にて縫い付けられている。この布部１６が筒状基部１１の内周面の略全周に沿って縫いつけられることにより、筒状基部１１の内周面に多数の紐材１５がランダムに配設される。また、筒状基部１１の軸方向一端には、環状の紐であるリング１８が縫い付けられている。なお、リング１８は必要に応じて省くことができる。
【００１２】
上記構成の実施例においては、雨等に濡れた傘１をすぼめて、傘本体２を水滴除去具１０の筒状基部１１の中心に嵌め合わせて挿通させることにより、傘本体２は筒状基部１１と多数の紐材１５によって締め付けられるが、筒状基部１１と紐材１５共に伸縮するために、傘本体２はスムーズに挿通されて、筒状基部１１が傘１の柄３近辺まで差し込まれる。その際、筒状基部１１と紐材１５は共に高吸水性のマイクロファイバーで形成されているために、傘本体２外面に付着した水滴は特に多数の紐材１５の間で十分に吸着されるため、傘本体２の外面の水滴はほぼ完全に除去される。また、多数の紐材１５は傘本体２に付着した程度の水分については十分に保水できるため、筒状基部１１の外側に水が染み出すこともない。
【００１３】
その結果、本実施例においては、傘本体２に付着した雨滴等で衣服が濡れなくまた床面を水滴で濡らさないので、室内において雨滴等を気にすることなく傘１を楽に取り扱うことができる。また、本実施例によれば、使用後に傘１から取り外した水滴除去具１０についても、軽く絞ることにより吸収された水分を取り出すことができ乾燥も速いので、水漏れを気にすることがなく、また水滴除去具１０はコンパクトな形状なので、鞄等に入れて簡単に持ち運ぶことができるので便利である。また、水滴除去具１０は、小型軽量であると共に、簡易な構造で安価であるため、容易に入手できて手軽に使用することができる。また、筒状基部１１の軸方向一端には、環状の紐であるリング１８が縫い付けられているため、傘本体２に水分除去具１０を取り付けた状態で、リング１８を握ることにより傘１全体を簡単に持つことができ、傘１の持ち運びに便利である。
【符号の説明】
【００１４】
１０…傘用水滴除去具、１１…筒状基部、１５…紐材。
【図１】
0005372089.tif 000002
【図２】
0005372089.tif 000003
【図３】
0005372089.tif 000004
【図４】
0005372089.tif 000005